(57)【要約】【課題】宴会において音を用いた演出を可能とした乾杯用容器を提供する。【解決手段】容器部３に清酒を入れて乾杯を行う。そして、容器部３内の清酒を飲んだ後に、クラッパー部２７の左右の両端部２７ｂ、２７ｃが左右を向くように乾杯用容器１を持って左右方向に振る。これにより、クラッパー部２７の左右の両端部２７ｂ、２７ｃがベル部１３の内周面を叩いて音が鳴る。左右の両端部２７ｂ、２７ｃはベル部１３の内周面に当たる部分の面積が小さいので、澄んだ心地よい音が生じることになる。【選択図】  図３
0003215030.tif 000002
【実用新案登録請求の範囲】
【請求項１】
上面に開口を有し酒等の飲料を入れる容器部と、前記容器部の下面側に連結される音発生部とを有し、前記音発生部は下面に開口を有するベル部と、前記ベル部内に揺動自在に吊下げられたクラッパー部を備え、前記クラッパー部は平板状に形成され、その縁部を前記ベル部の内周面に向ける姿勢で備えられており、前記ベル部を左右方向へ揺動させると、前記クラッパー部の縁部が前記ベル部の内周面を叩いて、音が鳴ることを特徴とする乾杯用容器。
【請求項２】
請求項１に記載した乾杯用容器において、クラッパー部は左右方向へ長い平板であり、左右方向の端部の縁部の面積が前後方向の端部の縁部の面積より小さくなるように構成されていることを特徴とする乾杯用容器。
【請求項３】
請求項２に記載した乾杯用容器において、クラッパー部は楕円形の平板によって構成されていることを特徴とする乾杯用容器。
【請求項４】
請求項１から３のいずれかに記載した乾杯用容器において、少なくともベル部とクラッパー部は金属によって構成されていることを特徴とする乾杯用容器。
【考案の詳細な説明】
【技術分野】
【０００１】
本考案は乾杯用容器に係り、特に美しい音を出すことができる乾杯用容器に関するものである。
【背景技術】
【０００２】
古来より祝い事においては楽器の演奏が行われているが、現代の宴会においても趣向を凝らした演出のためには、音は欠かすことのできない要素である。
【先行技術文献】
【特許文献】
【０００３】
【特許文献１】実開平６−６６４５８号公報
【特許文献２】特開２００１−２４７１６３号公報
【考案の概要】
【考案が解決しようとする課題】
【０００４】
しかしながら、宴会において楽器をわざわざ準備することは面倒であり、そもそもある程度の技能を持った者でなければ演奏をすることができない。
また、披露宴などの宴会においては必ず乾杯が行われるが、趣向を凝らした演出等のために特許文献１の連体乾杯用容器や特許文献２の乾杯用容器が開発されている。これらのものは、その構造や外観に関して工夫をしたものであり、音を出すものではない。
本考案は上記従来の問題点に着目して為されたものであり、宴会において音を用いた演出を可能とした乾杯用容器の提供を、その目的とする。
【課題を解決するための手段】
【０００５】
本考案は上記課題を解決するために為されたものであり、請求項１の考案は、上面に開口を有し酒等の飲料を入れる容器部と、前記容器部の下面側に連結される音発生部とを有し、前記音発生部は下面に開口を有するベル部と、前記ベル部内に揺動自在に吊下げられたクラッパー部を備え、前記クラッパー部は平板状に形成され、その縁部を前記ベル部の内周面に向ける姿勢で備えられており、前記ベル部を左右方向へ揺動させると、前記クラッパー部の縁部が前記ベル部の内周面を叩いて、音が鳴ることを特徴とする乾杯用容器である。
【０００６】
請求項２の考案は、請求項１に記載した乾杯用容器において、クラッパー部は左右方向へ長い平板であり、左右方向の端部の縁部の面積が前後方向の端部の縁部の面積より小さくなるように構成されていることを特徴とする乾杯用容器である。
【０００７】
請求項３の考案は、請求項２に記載した乾杯用容器において、クラッパー部は楕円形の平板によって構成されていることを特徴とする乾杯用容器である。
【０００８】
請求項４の考案は、請求項１から３のいずれかに記載した乾杯用容器において、少なくともベル部とクラッパー部は金属によって構成されていることを特徴とする乾杯用容器である。
【考案の効果】
【０００９】
本考案の乾杯用容器では、乾杯の後に美しい音を出すことができ、宴会等において楽器を準備することなく趣向を凝らした演出を行うことができる。
【図面の簡単な説明】
【００１０】
【図１】本考案の実施の形態に係る乾杯用容器の斜視図である。
【図２】図１の乾杯用容器の縦断面図である。
【図３】図１の乾杯用容器によって音を出すために乾杯用容器を揺動させている状態の斜視図である。
【図４】図１の乾杯用容器によって音を出す際のクラッパー部の動作を示す音発生部の底面図である。
【考案を実施するための形態】
【００１１】
本考案の実施の形態に係る乾杯用容器１を図面にしたがって説明する。
乾杯用容器１は鉄製で金めっきが施されており、容器部３と、この容器部３の下面側に連結される音発生部５を有している。
容器部３は上面に開口７を有し、下方へ行くに従って径寸法が徐々に小さくなる円筒状に形成され、更に下端部に底部９を有している。底部９の下面の中心部には雌ネジ穴１１が形成されている。
【００１２】
音発生部５の構造を説明する。
符号１３はベル部を示し、このベル部１３は下面に開口１５を有し、上方に行くに従って径寸法が徐々に小さくなる円筒状に形成され、更に上端部に天板１７を有している。天板１７の中心部には上方へ突出するボス部１９が形成されている。天板１７の中心部には、ボス部１９の上面にまで連続する貫通穴２１が形成されている。
【００１３】
符号２３は支持具を示し、この支持具２３は雄ネジ部２３ａ、雄ネジ部２３ａに対し一体に形成された頭部２３ｂとから成り、この頭部２３ｂには丸穴２３ｃが形成されている。
符号２５は連結具を示し、この連結具２５はリング部２５ａ、リング部２５ａに一体に設けられた軸部２５ｂ、軸部２５ｂの下端部に形成された雄ネジ部２５ｃとから成る。
符号２７は鉄製のクラッパー部を示し、このクラッパー部２７は左右方向へ長い楕円形の平板によって構成されている。従って、クラッパー部２７の左右の端部２７ｂ、２７ｃの縁部の面積は前後方向の端部の縁部の面積より小さくなるように構成されている。クラッパー部２７の中心部には丸穴２７ａが形成されている。
【００１４】
容器部３の底部９とベル部１３の天板１７とが互いに対向するように配置され、この状態で支持具２３の雄ネジ部２３ａが貫通穴２１から挿通され、更に雌ネジ穴１１に螺合されている。これにより、容器部３の底部９の下面にボス部１９の上面が当接し、容器部３にベル部１３が固定されて、容器部３の下面側に音発生部５が連結される。
また、支持具２３の丸穴２３ｃに連結具２５のリング部２５ａが揺動可能に連結されている。更に、クラッパー部２７の丸穴２７ａが連結具２５の軸部２５ｂの雄ネジ部２５ｃに嵌められ、この状態で雄ネジ部２５ｃに２つのナット２９、３１が螺合されている。これによりクラッパー部２７はその縁部をベル部１３の内周面に向ける姿勢で揺動自在に備えられる。
【００１５】
次にこの乾杯用容器１の使用方法を説明する。
乾杯用容器１は例えば結婚披露宴において用いるものであり、容器部３に例えば清酒を入れて乾杯を行う。そして、容器部３内の清酒を飲んだ後に、クラッパー部の左右の両端部２７ｂ、２７ｃが左右を向くように乾杯用容器１を持つ。そして、図３に示すように左右方向に振る。これにより、クラッパー部２７の左右の両端部２７ｂ、２７ｃの縁部がベル部１３の内周面を叩いて音が鳴る。左右の両端部２７ｂ、２７ｃの縁部は面積が小さいので、澄んだ心地よい音が生じることになる。
また、クラッパー部２７は左右方向へ長い楕円形の平板によって構成されているので、左右の両端部２７ｂ、２７ｃとベル部１３の内周面との間の距離が小さい。従って、乾杯用容器１をそれほど大きく振らなくても、左右の両端部２７ｂ、２７ｃの縁部がベル部１３の内周面に当たることになり、確実に音を鳴らすことができる。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、クラッパー部の形状は楕円形の平板に限定されず、その長手方向の両端部、すなわちベル部の内周面を叩く縁部の面積が小さくなるような形状、例えば菱形の平板であってもよい。
また、乾杯用容器は金めっきに限らず、銀めっき等でもよい。
更に、ベル部をハンマー等で叩いて、組織の密度を調節する加工を施して、音色を変更してもよい。
なお、乾杯用容器は鉄に限らず、他の金属で構成してもよく、また、容器部は金属以外の合成樹脂等によって構成してもよい。
【産業上の利用可能性】
【００１７】
本考案は乾杯用容器の製造業に利用可能性を有し、結婚披露宴等の宴会における乾杯の後に美しい音を出すことができ、趣向を凝らした演出を簡単に行うことができる。
【符号の説明】
【００１８】
１…乾杯用容器        ３…容器部        ５…音発生部        ７…容器部の開口
９…容器部の底部    １１…雌ネジ穴    １３…ベル部        １５…開口
１７…天板            １９…ボス部      ２１…貫通穴        ２３…支持具
２３ａ…雄ネジ部      ２３ｂ…頭部      ２３ｃ…丸穴        ２５…連結具
２５ａ…リング部      ２５ｂ…軸部      ２５ｃ…雄ネジ部    ２７…クラッパー部
２７ａ…丸穴          ２７ｂ、２７ｃ…クラッパー部の左右の両端部
２９…ナット          ３１…ナット
【図１】
0003215030.tif 000003
【図２】
0003215030.tif 000004
【図３】
0003215030.tif 000005
【図４】
0003215030.tif 000006